(57)【要約】      （修正有）【課題】間仕切られたのれんを通り抜ける際、のれんが妨げにならず通過出来る、のれん開閉器を提供する。【解決手段】人の出入りを関知する集電センサー、遠又は赤外線スイッチ、近接スイッチ、マットスイッチ、テープスイッチとのれんを開閉するためのモ−タ制御回路ならびに、モータ１、２と糸巻きリールにより、のれん引き上げ糸（紐）を介してのれんを自動開閉させる。【選択図】図５
0003137821.tif 000002
【実用新案登録請求の範囲】
【請求項１】
人の出入りを感知する集電センサー、遠又は近赤外光線スイッチ、近接スイッチ、マットスイッチ、テープスイッチと、のれんを開閉する為のモータ制御（開閉に必要な時間設定用最大５秒タイマー１ならびにモータ正逆回転、ＯＮ／ＯＦＦ）回路ならびに、モータ１，２と糸巻きリールにより、のれんを引き上げ糸（紐）を介してのれんを自動開閉させる事を特徴とする、のれん開閉器。
【請求項２】
のれん開、保持位置ならびにのれん、閉、位置検出にセンサー又はスイッチを用いず、モータのＯＮ／ＯＦＦ制御だけで、のれん開閉ができることを特徴とする請求項１の、のれん開閉器。
【請求項３】
のれん開放状態にあたっては、モータ発生トルクとのれん引き上げ保持に要する力が互いに釣り合ったところ、すなわちモータロック状態（通電、無回転）に陥らせる事でのれん保持を維持させていることを特徴とする請求項１の、のれん開閉器。
【請求項４】
のれん開、保持時間Ｔ１（モータ制御ＢＯＸ内、タイマー回路、可変抵抗で時間設定ができる。）を自在に設定できることを特徴とする請求項１の、のれん開閉器。
【請求項５】
閉動作中、センサー又はスイッチにより、人を再検出した時は、直ちに開動作に移行することを特徴とする請求項１の、のれん開閉器。
【請求項６】
閉動作に於いて、のれん生地、材質、麻、ポリエステル等、自重の違いによる戻り速さに影響しない調整機能（モータ制御ＢＯＸ内、閉時間Ｔ２調整用可変抵抗ならびに、図３閉スピード設定ができる。）を有することを特徴とする請求項１の、のれん開閉器。
【請求項７】
のれん開閉機構部が左右分離構造であることで、設置方法として、のれん支持棒、又は側壁構造物等に、補助具を用いて取り付けが容易であること、又は、のれん支持棒に駆動モータを実装することも出来ることを特徴とする請求項１の、のれん開閉器。
【考案の詳細な説明】
【技術分野】
【０００１】本考案は店内、店先、一般家庭、イベント会場に垂れ下げたのれんを自動的に開閉する機器に関する。
【背景技術】
【０００２】（イ）従来、空間を仕切る、隠す、又は店の象徴とし、のれんを使用しているが、通り抜けする際は、手で掻き分ける事が、通例であり、自動開閉するものは無かった。
（ロ）また、電磁プランジャー，バネを駆動源とした、のれんを自動開閉する自動のれんがあった。（実用新案文献１）
【実用新案文献１】
実用新案公開平５−８８３９０
【考案の開示】
【考案が解決しようとする課題】
【０００３】（ａ）従来ののれんは、手で開くものと言う慣習があり、両手がふさがっていて、開閉できないときの事を考えていない欠点があった。
（ｂ）実用新案文献１にあっては、すでに設置されたのれんには適用できない、又停電、故障した場合に、手動でのれんを掻き分け通過する際に、開閉用バネ機構支持部が邪魔になる欠点があった。
【課題を解決するための手段】
【０００４】のれん開、閉、位置の検出センサーを用いず、モータ軸ダイレクト巻き上げだけの、簡単ＯＮ／ＯＦＦ制御でのれん自動開閉の機能を有し、ローコストで実現できる。
【考案の効果】
【０００５】この考案は、既存の、のれん、半間、一間、間口に関わらず、自動開閉が実現できる。店内、厨房入り口に於いては、開閉の煩わしさから開放される。店舗入り口にあっては、自動開閉が物珍しく、集客効果も期待できる。
【考案を実施するための最良の形態】
【０００６】  以下、本考案の実施の形態を説明する。
（イ）焦電センサー（１４）、遠又は赤外線スイッチ、近接スイッチ、マットスイッチ、テープスイッチによって人体を感知すると開、保持設定時間最大５秒タイマー１（１）がスタートし、のれん（１０）を左右に引き上げる為のモータ１，２（１５）に開方向回転にすべき電源がスイッチＳ１−１、Ｓ１−２（リレー接点）を介して供給される、その事により、のれん（１０）は左右に引き上げられ、後に、のれん（１０）に括り付けた糸（紐）（１２）端部が開ストッパー金具（２１）位置にて、拘束され、のれんは開状態が維持される。Ｔ１タイムアップになった時点でスイッチＳ２−１、Ｓ２−２（リレー接点）に切り替わりモータ１、２（１５）には、のれん（１０）閉方向回転にすべき電源が供給される。その事により、モータ制御ＢＯＸ（２３）内、閉設定時間Ｔ２の間、モータは閉方向回転（逆回転）となり、のれん（１０）引き上げ糸（紐）（１２）は拘束状態から開放される事となる、その事から、のれんはモータ補助力及び自重により、のれんは閉状態位置まで戻り一連の動作は完了となる。その後、人感知待ち、待機状態になる。
（ロ）開、保持時間Ｔ１満了後、閉設定時間Ｔ２中（のれん閉動作中）に於いて、再度人感センサー（スイッチ）（１４）が作動した場合は直ちに、タイマーＴ１が再セットされモータ１、２（１５）は開方向回転にすべき電源がスイッチＳ１−１、Ｓ１−２（リレー接点）を介して供給される。その事により、のれん（１０）は開保持が再度維持される。
（ハ）のれん（１０）閉動作に於いて、のれん（１０）の素材（麻、木綿、ポリエステル）自重の違いによる閉じるスピードに影響が出てしまうことに対しては、閉方向スイッチＳ２−１、２−２に直列接続した可変抵抗Ｒ及び、閉設定時間Ｔ２によって調整が可能としている。
（ニ）本機器の設置に関しては、三通りの方法を用意している。
▲１▼のれん（１０）支持棒（２０）に左右モータユニット（１１）毎に補助金具を用いることで取り付けられる。  図５
▲２▼のれん（１０）に支持棒（２０）を使わない場合、左右側壁構造物（柱）等に取り付け補助具を用いる事でセットすることが出来る。
▲３▼のれん支持棒（２０）左右端にモータユニットを内蔵する事で、補助具を使わずとも一体構造で機能させる事が出来る。  図７
又、既存ののれんにも取り付けが出来る特徴をもっている。
【図面の簡単な説明】
【０００７】
【図１】制御回路ブロック図
【図２】タイムチャート
【図３】モータ制御回路図
【図４】フローチャート
【図５】のれん開閉器（取り付け支持金具使用）全体の正面図
【図６】のれん開閉器（取り付け支持金具使用）系統図
【図７】のれん開閉器（モータ、のれん支持棒内蔵）全体の正面図
【図８】のれん開閉器（モータ、のれん支持棒内蔵）系統図
【符号の説明】
【０００８】    １０  のれん
１１  糸（紐）巻き上げユニット
１２  糸（紐）
１３  糸留め具
１４  人感センサー
１５  モータ
１６  カップリング
１７  リール
１８  取り付けブラケット
１９  支持金具
２０  のれん支持棒
２１  ストッパー金具
２２  ブッシング
２３  モータ制御ＢＯＸ
２４  ＡＣアダプタ
【図１】
0003137821.tif 000003
【図２】
0003137821.tif 000004
【図３】
0003137821.tif 000005
【図４】
0003137821.tif 000006
【図５】
0003137821.tif 000007
【図６】
0003137821.tif 000008
【図７】
0003137821.tif 000009
【図８】
0003137821.tif 000010
【手続補正書】
【提出日】平成19年9月10日(2007.9.10)
【手続補正１】
【補正対象書類名】実用新案登録請求の範囲
【補正対象項目名】請求項１
【補正方法】変更
【補正の内容】
【請求項１】
人の出入りを感知する焦電センサー、遠又は近赤外光線スイッチ、近接スイッチ、マットスイッチ、テープスイッチと、のれんを開閉する為のモータ制御回路と、モータ１，２と、のれんを引き上げる為の糸又は紐及び糸巻きリールによって、のれんを自動開閉させる事を特徴とする、のれん開閉器。
【手続補正２】
【補正対象書類名】実用新案登録請求の範囲
【補正対象項目名】請求項３
【補正方法】変更
【補正の内容】
【請求項３】
のれん開放状態にあっては、モータ発生トルクと、のれん引き上げ保持に要する力が互いに釣り合ったところ、すなわちモータロック状態に陥らせることで、のれん保持を維持させていることを特徴とする請求項１の、のれん開閉器。
【手続補正３】
【補正対象書類名】実用新案登録請求の範囲
【補正対象項目名】請求項４
【補正方法】変更
【補正の内容】
【請求項４】
のれん開、保持時間Ｔ１を自在に設定できる事を特徴とする請求項１ののれん開閉器。
【手続補正４】
【補正対象書類名】実用新案登録請求の範囲
【補正対象項目名】請求項６
【補正方法】変更
【補正の内容】
【請求項６】
閉動作に於いて、のれん生地、材質、麻、ポリエステル等、自重の違いによる戻り速さに影響しない調整機能を有することを特徴とする請求項１の、のれん開閉器。